(57)【要約】【課題】  影像周波数成分消去性能を改良したＴＶ信号受信用チューナを提供する。【解決手段】  影像周波数信号消去ミクサは、第１のミクサと、第２のミクサと、第１の出力調整回路と、第２の出力調整回路とを備える。第１のミクサは第１のＲＦ入力信号および局部発振器出力を受けるように接続され、第１のミクサ段および第１の出力負荷段を含む。第２のミクサは入力ＲＦ信号および位相偏移ずみの局部発振出力を受けるように接続され、第２のミクサ段および第２の出力負荷段を含む。第１の出力調整回路は、第１のミクサからの第１の出力信号の信号波形を修正する第１の出力負荷段に接続する。第２の出力調整回路は第２のミクサからの第２の出力信号の信号波形を修正する第２の出力負荷段に接続する。この回路構成により、最終ＩＦ信号の中の影像周波数成分をほぼ完全に消去できる。【選択図】図５
2008533817.tif 000002
【特許請求の範囲】
【請求項１】
影像周波数信号消去ミクサであって、
入力無線周波数（ＲＦ）信号を受ける入力端子と、
前記入力ＲＦ信号と局部発振周波数の信号を発生する局部発振器からの信号とを受けるように接続され、第１のミクサ段および第１の出力負荷段を含み第１の出力信号を生ずる第１のミクサと、
前記局部発振器からの前記信号の位相を偏移させて位相偏移ずみの局部発振信号を生ずるように接続した第１の移相器と、
前記入力ＲＦ信号と前記位相偏移ずみの局部発振信号とを受けるように接続され、第２のミクサ段および第２の出力負荷段を含み第２の出力信号を生ずる第２のミクサと、
前記第１のミクサの前記第１の出力負荷段に接続され、前記第１のミクサの前記第１の出力信号の信号波形を修正する第１の出力調整回路と、
前記第２のミクサの前記第２の出力負荷段に接続され、前記第２のミクサの前記第２の出力信号の信号波形を修正する第２の出力調整回路と、
前記第２のミクサの前記第２の出力信号の位相を偏移させて位相偏移ずみの出力信号を生ずるように接続した第２の移相器と、
前記第１の出力信号および前記位相偏移ずみの出力信号を受け、これら出力信号を合成して中間周波数の出力信号を生ずるコンバイナと
を含み、
前記第１の出力調整回路および前記第２の出力調整回路が前記第１の出力信号および前記位相偏移ずみの出力信号の波形を、中間周波数の前記出力信号の中の影像周波数信号成分を含む信号成分のほぼ全部を相殺するように、修正する
影像周波数信号消去ミクサ。
【請求項２】
前記第１および第２の出力調整回路の各々が一つ以上の切換可能な形で接続した受動回路素子、すなわち互いに並列に接続されるとともに前記ミクサの前記出力負荷段に並列にそれぞれ接続され、前記ミクサのそれぞれの前記出力負荷段のインピーダンスを修正するように動作できる一つ以上の切換可能な形で接続した受動回路素子を含む請求項１記載の影像周波数信号消去ミクサ。
【請求項３】
前記一つ以上の切換可能な形で接続した受動回路素子が一つ以上の切換可能な形で接続した抵抗器を含む請求項２記載の影像周波数信号消去ミクサ。
【請求項４】
前記一つ以上の切換可能な形で接続した抵抗器が互いに等しい抵抗値の抵抗器から成る請求項３記載の影像周波数信号消去ミクサ。
【請求項５】
前記一つ以上の切換可能な形で接続した抵抗器が互いに異なる抵抗値の抵抗器から成る請求項３記載の影像周波数信号消去ミクサ。
【請求項６】
前記一つ以上の切換可能な形で接続した受動回路素子が一つ以上の切換可能な形で接続したキャパシタを含む請求項２記載の影像周波数信号消去ミクサ。
【請求項７】
前記一つ以上の切換可能な形で接続したキャパシタが互いに等しい容量値のキャパシタから成る請求項３記載の影像周波数信号消去ミクサ。
【請求項８】
前記一つ以上の切換可能な形で接続したキャパシタが互いに異なる容量値のキャパシタから成る請求項３記載の影像周波数信号消去ミクサ。
【請求項９】
前記第１および第２の出力調整回路の各々が前記第１のミクサの前記第１の出力信号および前記第２のミクサの前記位相偏移ずみの出力信号の一方を受けるように接続した低域フィルタであって、フィルタ処理ずみの出力を前記コンバイナに供給する低域フィルタを含む請求項１記載の影像周波数信号消去ミクサ。
【請求項１０】
前記低域フィルタが、
前記第１のミクサの前記第１の出力信号および前記第２のミクサの前記位相偏移ずみの出力信号の一方をそれぞれ受ける入力ノードと、
前記入力ノードと出力ノードとの間に挿入した第１の抵抗器と、
前記出力ノードと電源供給ノードとの間に並列に切換可能な形で接続した一つ以上の受動回路素子と
を含む請求項９記載の影像周波数信号消去ミクサ。
【請求項１１】
前記一つ以上の切換可能な形で接続した受動回路素子が一つ以上の切換可能な形で接続した抵抗器から成る請求項１０記載の影像周波数信号消去ミクサ。
【請求項１２】
前記一つ以上の切換可能な形で接続した受動回路素子が一つ以上の切換可能な形で接続したキャパシタから成る請求項１０記載の影像周波数信号消去ミクサ。
【請求項１３】
前記第１の移相器が９０°移相器であり、前記第２の移相器が−９０°移相器である請求項１記載の影像周波数信号消去ミクサ。
【請求項１４】
前記コンバイナが加算回路および減算回路の一方から成る請求項１記載の影像周波数信号消去ミクサ。
【発明の詳細な説明】
【技術分野】
【０００１】
この発明は影像消去ミクサに関し、より詳しくいうと、不要な影像周波数成分を高精度で消去するテレビジョンチューナ用の影像消去ミクサに関する。
【背景技術】
【０００２】
慣用のテレビジョン受信機は、所望のチャネルの受信のために、所定周波数領域（６ＭＨｚ、７ＭＨｚまたは８ＭＨｚ）の中の所望の無線周波数（ＲＦ）の信号を選択しそれ以外のすべての信号を消去するチューナを用いる。図１は低域ＶＨＦ、ＶＨＦおよびＵＨＦ放送チャネルの受信に使える慣用の同調システムを示す。図１を参照すると、同調システム１０は入力端子１にＲＦ入力信号を受ける。この入力ＲＦ信号は地上波放送またはケーブルテレビジョン送信から受けることができる。この入力ＲＦ信号を、帯域フィルタ２、帯域消去フィルタ３（「トラップまたはノッチフィルタ」としても知られている）、および外部から利得制御の可能なＲＦ増幅器４を含むＲＦ入力回路に導く。このＲＦ入力回路の出力信号を通常は集積回路からなるチューナ回路８、すなわち所望ＲＦ信号への同調をとるとともに中間周波数（ＩＦ）のＩＦ信号を生ずるチューナ回路８に加える。チューナ回路８は一つ以上のミクサ５と局部発振器６とを備える。一方、チューナ回路８の中の同調制御電圧発生器７で、帯域フィルタ２、帯域消去フィルタ３および局部発振器６の制御のための制御信号を発生し、所望のチャネルへの同調を達成するようにする。
【０００３】
同調システム１０において、所望のチャネルへの入力ＲＦ信号を一つ以上のミクサ５による一つ以上の周波数変換により中間周波数（ＩＦ）信号に変換する。一つ以上の局部発振器６の周波数は、その受信機への割当て中間周波数および所望のチャネルに基づいて選ぶ。この周波数変換は中間周波数ＩＦがミクサ入力信号の周波数よりも低い場合は「ダウンコンバージョン」と呼ぶ。また、局部発振器の周波数が入力ＲＦ信号の周波数よりも低い場合は、この周波数変換を「低周波数側ミクシング」と呼ぶ。一方、局部発振器の周波数が入力ＲＦ信号よりも高い場合は、「高周波数側ミクシング」と呼ぶ。
【０００４】
入力ＲＦ周波数（ｆＲＦ）と局部発振器発振周波数（ｆＬＯ）と中間周波数（ｆＩＦ）との間の関係は次式、すなわち
［式１ａ］  ｆＩＦ＝ｆＲＦ−ｆＬＯ  （ダウンコンバージョン、低周波数側ミクシング）
および
［式２ａ］  ｆＩＦ＝ｆＬＯ−ｆＲＦ  （ダウンコンバージョン、高周波数側ミクシング）
で表される。
【０００５】
慣用の同調システムで広く生ずる問題は、入力ＲＦ信号周波数ｆＲＦの所望の信号に対して影像周波数（ｆｉｍａｇｅ）に不要信号が現れることである。チューナ回路の中のミクサが、所望信号と同時に不要信号をも周波数変換するように動作するのである。この不要信号は中間周波数で所望信号に重畳され、干渉障害を生ずる。ダウンコンバージョンおよび低周波数側ミクシングについての影像周波数（ｆｉｍａｇｅ）と局部発振周波数（ｆＬＯ）および中間周波数（ｆＩＦ）との関係は次式、すなわち
［式１ｂ］  ｆｉｍａｇｅ＝ｆＬＯ−ｆＩＦ
で表される。ダウンコンバージョンおよび高周波数側ミクシングについての影像周波数（ｆｉｍａｇｅ）と局部発振周波数（ｆＬＯ）および中間周波数（ｆＩＦ）との関係は次式、すなわち
［式２ｂ］  ｆｉｍａｇｅ＝ｆＬＯ＋ｆＩＦ
で表される。
【０００６】
図２は、ダウンコンバージョン低周波数側ミクシングの場合に影像周波数が引き起こす干渉妨害を表す周波数領域図解である。図２を参照すると、入力ＲＦ信号の周波数ｆＲＦを式１ａに示したとおり中間周波数ｆＩＦにダウンコンバートする。しかし、この周波数変換の際に、不要周波数ｆｉｍａｇｅも、式１ｂに示したとおり、同じ周波数ｆＩＦにダウンコンバートされる。図２の例では、不要信号の振幅レベルが所望の信号の振幅よりも高く、その結果、強い干渉妨害が生じ入力ＲＦ信号に含まれる情報信号成分が損なわれる。
【０００７】
ＲＦ信号を中間周波数（ＩＦ）信号に変換する際の不要影像周波数信号の消去の方法は周知である。慣用の方法としては、周波数変換の前段階で影像周波数信号をフィルタで除去する、影像周波数信号消去ミクサにかけるなどの方法がある。影像周波数信号消去ミクサは不要な影像周波数を弁別するとともにフィルタ処理し、入力ＲＦ信号周波数ｆＲＦの所望信号だけが周波数変換後に残るようにする。
【０００８】
図３は従来技術による影像周波数信号消去ミクサ３０の回路図である。この影像周波数信号消去ミクサ３０は入力ＲＦ信号を入力端子３１に受ける。周波数ｆＲＦの入力ＲＦ信号を周波数ｆＩＦの中間周波数（ＩＦ）信号に変換するように二つのミクサ３２ａおよび３２ｂに導く。一方、電圧制御発振器（ＶＣＯ）３４から、所望の放送チャネルへの同調のための局部発振周波数を供給する。ＶＣＯ３４とミクサ３２ｂとの間には移相器３３を挿入する。ミクサ３２ｂと加算回路（または減算回路）３６との間にはもう一つの移相器３５を挿入する。加算回路３６はミクサ３２ａおよび３２ｂからの周波数混合ずみの信号を受けて周波数ｆＩＦのＩＦ信号を生ずる。
【０００９】
図３の影像周波数信号消去ミクサの動作の数式記述を次に述べる。この説明では、影像周波数信号消去ミクサ３０がダウンコンバージョン低周波数側ミクシングスキームで動作しているものとする。しかし、これらの式は高周波数側ミクシングスキームにも適用できる。
【００１０】
図中の点Ａにおける入力ＲＦ信号は次式、すなわち
Ａ＝ＶＲＦ・sin（２πｆＲＦｔ）＋Ｖｉｍａｇｅ・sin（２πｆｉｍａｇｅｔ）
で表される。点ＢにおけるＶＣＯ３４の出力は次式、すなわち
Ｂ＝ＶＬＯ・sin〔２π（ｆＲＦ−ｆＩＦ）ｔ〕
で表される。点Ｂ’における信号、すなわち移相器３３通過後のＶＣＯ３４出力は次式、すなわち
Ｂ’＝ＶＬＯ・sin［２π（ｆＲＦ−ｆＩＦ）ｔ＋90°］＝・・・＝ＶＬＯ・cos［２π（ｆＲＦ−ｆＩＦ）ｔ］
で表される。ミクサ３２ａの変換利得をｇとすると、ミクサ３２ａの出力点Ｃにおける信号は次式、すなわち、
Ｃ＝ｇ・Ａ・Ｂ＝・・・
＝ｇ・ＶＲＦ・sin［２πｆＲＦｔ］・ＶＬＯ・sin［２π（ｆＲＦ−ｆＩＦ）ｔ］＋ｇ・Ｖｉｍａｇｅ・sin［２πｆｉｍａｇｅｔ］・ＶＬＯ・sin［２π（ｆＲＦ−ｆＩＦ）ｔ］
＝ｇ・ＶＲＦ・sin［２πｆＲＦｔ］・ＶＬＯ・sin［２π(ｆＲＦ−ｆＩＦ)ｔ］＋ｇ・Ｖｉｍａｇｅ・sin［２π(ｆＲＦ−２ｆＩＦ)ｔ］・ＶＬＯ・sin［２π(ｆＲＦ−ｆＩＦ)ｔ］
＝ｇ・ＶＬＯ・ＶＲＦ・1/2｛cos［２πｆＩＦｔ］−cos［２π(ｆＲＦ−ｆＩＦ)ｔ］｝＋ｇ・ＶＬＯ・Ｖｉｍａｇｅ・1/2｛cos［２π(−ｆＩＦ)ｔ］−cos［(２ｆＲＦ−３ｆＩＦ)ｔ］｝
で表される。この段階で不要な周波数は除去されている。したがって、点Ｃにおける信号は次式、すなわち、
Ｃ＝ｇ・ＶＬＯ・ＶＲＦ・(1/2)cos［２πｆＩＦｔ］＋ｇ・ＶＬＯ・Ｖｉｍａｇｅ・(1/2)cos［２π（−ｆＩＦ）ｔ］
＝ｇ・ＶＬＯ・ＶＲＦ・(1/2)cos［２πｆＩＦｔ］＋ｇ・ＶＬＯ・Ｖｉｍａｇｅ・(1/2)cos［２πｆＩＦｔ］
で表される。上述の式と同じ式がミクサ３２ｂの出力点Ｃ’における信号にも成立し、次式、すなわち、
Ｃ’＝ｇ・Ａ・Ｂ＝・・・＝
＝ｇ・ＶＲＦ・sin［２πｆＲＦｔ］・ＶＬＯ・cos［２π（ｆＲＦ−ｆＩＦ）ｔ］＋ｇ・Ｖｉｍａｇｅ・sin［２πｆｉｍａｇｅｔ］・ＶＬＯ・cos［２π（ｆＲＦ−ｆＩＦ）ｔ］
＝ｇ・ＶＲＦ・sin［２πｆＲＦｔ］・ＶＬＯ・cos［２π(ｆＲＦ−ｆＩＦ)ｔ］＋ｇ・Ｖｉｍａｇｅ・sin［２π(ｆＲＦ−２ｆＩＦ)ｔ］・ＶＬＯ・cos［２π(ｆＲＦ−ｆＩＦ)ｔ］
＝ｇ・ＶＬＯ・ＶＲＦ・1/2｛sin［２πｆＩＦｔ］＋sin［２π(ｆＲＦ−ｆＩＦ)ｔ］｝＋ｇ・ＶＬＯ・Ｖｉｍａｇｅ・1/2｛sin［２π(−ｆＩＦ)ｔ］−sin［(２ｆＲＦ−３ｆＩＦ)ｔ］｝
で表される。この段階において不要な周波数は除去されている。したがって、点Ｃ’における信号は次式、すなわち、
Ｃ’＝ｇ・ＶＬＯ・ＶＲＦ・(1/2)sin［２πｆＲＦｔ］＋ｇ・ＶＬＯ・Ｖｉｍａｇｅ・(1/2)sin［２π（−ｆＩＦ）ｔ］
＝ｇ・ＶＬＯ・ＶＲＦ・(1/2)sin［２πｆＩＦｔ］−ｇ・ＶＬＯ・Ｖｉｍａｇｅ・(1/2)sin［２πｆＩＦｔ］
で表される。移相器３５通過後の点Ｄにおける信号は次式、すなわち、
Ｄ＝ｇ・ＶＬＯ・ＶＲＦ・(1/2)sin［２πｆＩＦｔ＋90°］−ｇ・ＶＬＯ・Ｖｉｍａｇｅ・(1/2)sin［２πｆＩＦｔ＋90°］
＝ｇ・ＶＬＯ・ＶＲＦ・(1/2)cos［２πｆＩＦｔ］−ｇ・ＶＬＯ・Ｖｉｍａｇｅ・(1/2)cos［２πｆＩＦｔ］
で表される。加算器３６の出力点Ｅにおける信号、すなわちＩＦ信号は次式、すなわち、
2008533817.tif 000003
で表される。信号Ｅについての上式は、影像周波数信号消去ミクサ３０の出力端子である点Ｅにおいて理論的には影像周波数成分を完全に除去できることを示している。
【００１１】
しかし、実際の具体的回路では、影像周波数信号消去ミクサの影像周波数成分消去の品質は満足すべきものではない。多くの場合、影像周波数信号消去ミクサは不要な影像周波数成分の全部を消去することはできない。すなわち、影像周波数信号消去ミクサは、その構成デバイスの特性およびその製造プロセスの特性に影響されるからである。プロセスの変動およびデバイスの不整合によって影像周波数成分消去が思わしくない結果になるのである。
【００１２】
例えば、図３の回路において点ＢおよびＢ’における局部発振器出力の位相または振幅が互いに正確に等しくない場合、またはミクサ３２ａおよび３２ｂがデバイス不整合を伴っておりそのために出力信号の位相または振幅に不整合が現れた場合は、影像周波数における信号の相殺が不完全になり、不要な影像周波数信号が生じて所望のダウンコンバートずみのＲＦ信号を損なう。
【００１３】
図４は図３の影像周波数信号消去ミクサの点ＣおよびＤにおける波形を示す。図４に示すとおり、点ＣおよびＤにおける影像周波数信号が位相または振幅で不平衡を伴っている場合は、加算回路（または減算回路）３６におけるこれら信号の相殺が不完全になる。図４では、消去後の影像周波数信号が波形「Ｃ−Ｄ」で示してある。点ＣおよびＤにおける信号が完全に整合していれば、消去後の影像周波数信号は零になる。しかし、点ＣおよびＤにおける信号が整合していなければ、図４に示すとおり残留影像周波数信号が残る。図４に示した残留影像周波数信号Ｃ−Ｄは周波数変換ずみのＲＦ信号に干渉妨害をもたらし、甚だ有害である。
【００１４】
【特許文献１】ＵＳＰ  ６  ５３５  ７２２
【発明の開示】
【発明が解決しようとする課題】
【００１５】
したがって、影像周波数成分消去作用を改善した影像周波数信号消去ミクサが必要になっている。
【課題を解決するための手段】
【００１６】
この発明の一つの実施例によると、影像周波数信号消去ミクサは、入力無線周波数（ＲＦ）信号を受ける入力端子と、第１のミクサと、第１の移相器と、第２のミクサと、第１の出力調整回路と、第２の出力調整回路と、第２の移相器と、コンバイナとを備える。
【００１７】
第１のミクサは、入力ＲＦ信号と、局部発振周波数の局部発振出力を生ずる局部発振器からの信号とを受けるように接続を施す。この第１のミクサは第１のミクサ段と第１の出力負荷段とを備え、第１の出力信号を生ずる。局部発振器からの上記信号に位相偏移を与えて位相偏移ずみの局部発振信号を生ずる移相器を接続する。入力ＲＦ信号と位相偏移ずみの局部発振信号とを受けるように第２のミクサを接続する。第２のミクサは第２のミクサ段と第２の出力負荷段とを備え、第２の出力信号を生ずる。第１の出力調整回路は上記第１のミクサの第１の出力信号の信号波形の修正のための第１ミクサの第１の出力負荷段に接続し、第２の出力調整回路は上記第２のミクサの第２の出力信号の信号波形の修正のための第２のミクサの第２の出力負荷段に接続する。第２の移相器を、第２のミクサの第２の出力信号の位相を偏移させるとともに位相偏移ずみの出力信号を生ずるように接続する。最後に、コンバイナを、第１の出力信号および上記位相偏移ずみの出力信号を受けてそれら第１の出力信号および位相偏移ずみの出力信号を合成し、中間周波数の出力信号を生ずるように接続する。
【００１８】
動作の際には、第１の出力調整回路および第２の出力調整回路は、第１の出力信号および移相器出力信号の波形を、中間周波数の出力信号の中の影像周波数成分全部をほぼ完全に相殺するように修正する形で動作する。
【００１９】
この発明は添付図面を参照した次の詳細な説明からよりよく理解されよう。
【発明の効果】
【００２０】
この発明によると、影像周波数成分の残留を著しく低減した影像周波数信号消去ミクサが得られる。
【発明を実施するための最良の形態】
【００２１】
この発明の原理によると、影像周波数信号消去ミクサは、第１および第２のミクサに接続した出力調整回路を影像周波数信号消去ミクサ回路に一体化し、上記第１および第２のミクサからのミクシングずみの信号をほぼ完全な影像周波数成分消去を達成できるように上記出力調整回路で調整する。より詳細に述べると、この出力調整回路は、上記第１および第２のミクサからのミクシングずみの信号を両者が完全に平衡するように調整し、それら信号を合成した段階でほぼ完全な影像周波数成分消去を実現する。一つの実施例では、この出力調整回路は、上記第１および第２のミクサの各々の利得および移相量を修正するために切換可能な形で互いに接続した抵抗器およびキャパシタなどの受動回路素子を含み、上述のほぼ完全な影像周波数信号成分消去を実現するようにしている。もう一つの実施例では、上記出力調整回路に切換可能な低域フィルタを用いる。切換可能な形で接続した回路素子の利用により、出力調整回路をプログラム可能にし、利得制御および位相制御を影像周波数成分消去が終始一貫して確実に得られるように調整できる。
【００２２】
図５はこの発明の第１の実施例による影像周波数信号消去ミクサの概略図である。図５の影像周波数信号消去ミクサ１００は図３の影像周波数信号消去ミクサ３０と同様の構成を備える。図３および図５において同じ回路素子には同じ参照数字を付けて説明を単純化してある。図５を参照すると、この影像周波数信号ミクサ１００は入力ＲＦ信号を入力端子３１に受ける。周波数ｆＲＦの入力ＲＦ信号を第１のミクサ１３２ａおよび第２のミクサ１３２ｂに加えて周波数ｆＩＦの中間周波数（ＩＦ）信号に変換する。所望の放送チャネルに同調をとるための局部発振周波数出力を電圧制御発振器（ＶＣＯ）３４から供給する。このＶＣＯ３４と第２のミクサ１３２ｂとの間に第１の移相器３３を挿入する。また、第２のミクサ１３２ｂと加算回路（または減算回路）３６との間には第２の移相器３５を挿入する。加算回路３６は上記第１のミクサ１３２ａおよび第２のミクサ１３２ｂからのミクシングずみの信号を加算して周波数ｆＩＦのＩＦ信号を生ずる。
【００２３】
図５において、第１および第２のミクサ１３２ａおよび１３２ｂはこのミクサ回路に接続した出力負荷段１５２ａおよび１５２ｂをそれぞれ備えるものとして示してある。ミクサは、ミクサ回路と、そのミクサ回路に接続され、負荷として作用し所望のフォーマットの（電圧信号または電流信号のフォーマットの）ミクシングずみの出力信号を生ずるようにする。例えば、出力負荷段は抵抗器とすることもできる。ミクサを回路図に示す場合は、出力負荷段は通常は別個の構成部分としては示さないが、もともと備わっているものである。しかし、この明細書では、その出力負荷段をこの発明の説明の便宜のために別に示してある。すなわち、図５において、第１のミクサ１３２ａはミクサ段１５０ａおよび出力負荷段１５２ａを備えるものとして、第２のミクサ１３２ｂはミクサ段１５０ｂおよび出力負荷段１５２ｂを備えるものとしてそれぞれ示してある。なお、ミクサ段および出力負荷段を各々が備えるものとしてここに示したミクサ１３２ａおよび１３２ｂは図３のミクサ３２ａおよび３２ｂとそれぞれ同じ構成を備える。
【００２４】
影像周波数信号ミクサ３０などの慣用の影像周波数信号消去ミクサでは、二つのミクサの出力負荷段のデバイスの不整合のために、二つのミクシングずみの出力信号の移相および利得が一致しなくなることが生ずる。したがって、高精度の影像周波数信号消去が達成できなくなる。この発明によると、影像周波数信号消去ミクサの上記第１および第２のミクサの各々に出力調整回路を内蔵させて、ミクシングずみの信号をほぼ完全に平衡させる。この手法により、この影像周波数信号消去ミクサの影像周波数信号消去性能が高められる。
【００２５】
図５の影像周波数信号消去ミクサ１００では、出力調整回路１８０ａを第１のミクサ１３２ａに接続し、出力調整回路１８０ｂを第２のミクサ１３２ｂに接続してある。より詳しくいうと、出力調整回路１８０ａを第１のミクサ１３２ａの出力負荷段１５２ａに並列に接続し、出力調整回路１８０ｂを第２のミクサ１３２ｂの出力負荷段１５２ｂに並列に接続してある。出力調整回路１８０ａおよび１８０ｂの各々は切換スイッチ経由で接続した受動回路部品を含む。この実施例では、出力調整回路１８０ａはスイッチＳ１ａおよびＳ２ａをそれぞれ経由で互いに並列に各々を切換可能な形で接続したキャパシタＣｔａおよび抵抗器Ｒｔａを含む。一方、出力調整回路１８０ｂはスイッチＳ１ｂおよびＳ２ｂをそれぞれ経由して互いに並列に各々を切換可能な形で接続したキャパシタＣｔｂおよび抵抗器Ｒｔｂを含む。スイッチＳ１ａ、Ｓ２ａ、Ｓ２ａおよびＳ２ｂは多様な手法で実現でき、一つの実施例ではＭＯＳＦＥＴスイッチで構成する。
【００２６】
この実施例では、出力調整回路１８０ａおよび１８０ｂの各々に一つだけのキャパシタおよび抵抗器を備える。これは一つの例示にすぎず、他の実施例では所望のインピーダンスを導入するための受動回路部品群で通常は構成する。その受動回路部品群には一つ以上のキャパシタや一つ以上の抵抗器を含め得る。複数のキャパシタおよび複数の抵抗器を用い、それらの容量値／抵抗値を互いに等しくすることも互いに異ならせることもできる。
【００２７】
出力調整回路１８０ａおよび１８０ｂはミクサ１３２ａおよび１３２ｂからのミクシングずみの信号をそれら信号の間の不平衡を解消するように調整する。より詳しく述べると、ミクサ１３２ａおよび１３２ｂの利得不整合は出力負荷段の一方または両方と並列に適切な抵抗値を導入することによって除去できる。適切な大きさの抵抗値を負荷することにより、ミクサの各々の利得をそれらミクサの両方の利得が互いに一致するように少し修正するのである。一方、ミクサ１３２ａおよびミクサ１３２ｂの間の位相偏移不整合は出力負荷段の一方または両方と並列に適切な大きさの容量値を導入することによって除去できる。適切な大きさの容量値を負荷することにより、ミクサの各々の位相偏移をそれらミクサの両方の位相偏移が互いに一致するように少し修正するのである。
【００２８】
この発明の出力調整回路を用いることにより、一つまたは二つ以上のスイッチの選択的閉成で各ミクサの出力負荷段に所望のインピーダンス（すなわち、抵抗値、容量値またはインダクタンス）を付加することができる。それらスイッチの閉成は、この影像周波数信号消去ミクサの外部の制御回路を通じてプログラムすることができる。所望の抵抗値や容量値を導入すると、点Ｃおよび点Ｄにおけるミクシングずみの信号が正確に整合し、高精度の影像周波数信号消去を達成できる。
【００２９】
この発明の出力調整回路の一つの特徴は、上記スイッチの閉成をプログラムすることにより、付加抵抗値や付加容量値を、時間の経過とともに互いに異なる利得調整や位相偏移調整を必要に応じてもたらすように、変化させ得ることである。したがって、この影像周波数信号消去ミクサをシステムに用いると、構成デバイスの寿命全体にわたりそのミクサの性能を保証できる。
【００３０】
ミクサ１３２ａおよび１３２ｂの出力電圧の数式表示を次に述べる。まず、スイッチＳ１ａ、Ｓ２ａ、Ｓ１ｂおよびＳ２ｂが全部開いていて出力調整回路による付加インピーダンスがない場合は、ミクサ１３２ａおよび１３２ｂの各々の出力電圧は次式、すなわち、
［式３ａ］  ＶＯＵＴ＝ｉ・Ｌｏａｄ
で表される。ここで、「Ｌｏａｄ」は各出力負荷段（１５２ａまたは１５２ｂ）のインピーダンスを表し、「ｉ」は各ミクサの出力における電流値を表す。
【００３１】
次に、出力調整回路１８０ａの中のスイッチＳ２ａが閉じている場合は、ミクサ１３２ａの出力電圧は次式、すなわち、
［式３ｂ］  ＶＯＵＴ＝ｉ１・Ｌｏａｄ＋ｉ２・Ｒｔａ
で表される。ここで電流ｉ１は出力負荷段１５２ａを通じて流れる電流を表し、電流ｉ２は抵抗器Ｒｔａを通じて流れる電流を表す。
【００３２】
一方、出力調整回路１８０ａの中のスイッチＳ１ａが閉じている場合は、ミクサ１３２ａの出力電圧は次式、すなわち
［式３ｃ］  ＶＯＵＴ＝ｉ１・Ｌｏａｄ＋ｉ３・ｊωＣｔａ
で表される。ここでｉ１は出力負荷段１５２ａを通じて流れる電流を表し、電流ｉ３はキャパシタＣｔａを通じて流れる電流値である。
【００３３】
式３ａ乃至３ｃをみると、ミクサ１３２ａの出力電圧は初期状態（式３ａ）からスイッチＳ１ａおよびＳ１ｂの閉成によるインピーダンス導入を通じて変え得ることが判る。例えば、ミクサ１３２ａの出力における信号の振幅は、上式３ｂに示されるとおり、抵抗値の導入により変わる。同様に、ミクサ１３２ａの出力における信号の位相は、上式３ｃに示されるとおり、容量値の導入により変わる。出力調整回路１８０ｂの中のスイッチＳ１ｂおよびＳ２ｂの閉成によるミクサ１３２ｂにおける信号波形修正にも上述の説明が当てはまる。
【００３４】
一つの実施例では、付加すべきインピーダンスの値を、影像周波数信号消去ミクサの出力信号（すなわちＩＦ信号）の影像周波数成分の有無の検出によって定める。その影像周波数における成分の検出のあと、ミクサの出力負荷段に所望の抵抗値および容量値を付加するように一つ以上のスイッチを閉成することによって、適切な修正を行うことができる。
【００３５】
この発明のもう一つの側面によると、影像周波数信号消去ミクサの中の上記ミクサの出力負荷段に接続する上記出力調整回路を低域フィルタで構成する。図６はこの発明の第２の実施例による影像周波数信号消去ミクサの概略図である。図７はこの発明の第２の実施例による影像周波数信号消去ミクサの概略図である。図５乃至図７において、同じ構成素子は同じ参照数字を付けて示して説明を単純化してある。
【００３６】
図１６を参照すると、出力調整回路１８２ａをミクサ１３２ａの出力端子（点Ｃ）に接続し、出力調整回路１８２ｂをミクサ１３２ｂの出力端子（点Ｃ’に接続した移相器３５の出力）に接続してある。この実施例では、調整回路１８２ａおよび１８２ｂの各々を低域フィルタで構成してある。より詳細に述べると、出力調整回路１８２ａはミクサ１３２ａの出力端子（点Ｃ）と加算回路（または減算回路）３６の第１の入力端子に接続したノード１９０ａとの間に挿入した抵抗器Ｒ１ａを含む。キャパシタＣ１ａおよびＣ２ａをノード１９０ａと並列に切換可能な形で接続する。抵抗器Ｒ１ａとキャパシタＣ１ａおよびＣ２ａの片方または両方とによって、ミクサ１３２ａの出力信号のフィルタ処理用の低域フィルタを構成する。出力調整回路１８２ｂは、出力調整回路１８２ａと同様に、抵抗器Ｒ１ｂを移相器３５の出力端子とノード１９０ｂとの間に挿入し、そのノード１９０ｂと並列に切換可能な形で接続したキャパシタＣ１ｂおよびＣ２ｂを備え、低域フィルタを構成する。
【００３７】
図７を参照すると、出力調整回路１８４ａおよび１８４ｂの各々を切換可能な形の抵抗器およびキャパシタを含む低域フィルタで構成してある。切換可能な抵抗器の利用により低域フィルタの動作パラメータを高精度出力電圧修正のために微調整できるようにしてある。
【００３８】
図６では、出力調整回路１８２ａおよび１８２ｂの各々の中の低域フィルタは二つの切換可能な形に接続したキャパシタを含む。図７では、出力調整回路１８４ａおよび１８４ｂの各々の中の低域フィルタは切換可能な形に接続した一つのキャパシタと切換可能な形比接続した一つの抵抗器とを含む。図６および図７に示した実施例は例示にすぎず、他の実施例では、出力調整回路の中の低域フィルタに一つ以上の切換可能な形に接続した抵抗器や、一つ以上の切換可能な形に接続したキャパシタを含めて構成できる。複数の抵抗器および複数のキャパシタを用いて、それらの抵抗値／容量値を互いに同じにすることも異なる値にすることもできる。
【００３９】
なお、ミクサ１３２ａおよび１３２ｂが通常は差動出力信号を生ずるように構成されることに注目すれば役立つこともあろう。図示の便宜のために図５乃至図７のミクサ回路は出力信号一つだけの回路として図示した。これら図５乃至図７のミクサ１３２ａおよび１３２ｂの点ＣおよびＣ’に差動出力信号を生じさせ得ることは理解されよう。その場合は、別個の出力調整回路を差動出力信号の各々に対して設ける。
【００４０】
上に述べてきた詳細な説明はこの発明の特定の実施例の例示のためのものであって限定を意図するものではない。この発明の範囲内で多様な改変や変形が可能である。この発明の範囲は添付の特許請求の範囲の請求項の記載のみによって画定される。
【産業上の利用可能性】
【００４１】
影像周波数成分を消去する性能を高め受信性能を高めたＴＶ信号受信装置の製造に利用できる。
【図面の簡単な説明】
【００４２】
【図１】低域ＶＨＦ、ＶＨＦおよびＵＨＦ放送チャネルの受信用の慣用のチューナの概略図。
【図２】ダウンコンバージョン、低周波数側ミクシングスキームにおいて影像周波数信号が引き起こす干渉妨害の周波数領域図解。
【図３】慣用の影像周波数信号消去ミクサの回路図。
【図４】図３の影像周波数信号消去ミクサの回路図の中の点ＣおよびＤにおける信号の波形図。
【図５】この発明の第１の実施例による影像周波数信号消去ミクサの概略図。
【図６】この発明の第２の実施例による影像周波数信号消去ミクサの概略図。
【図７】この発明の第３の実施例による影像周波数信号消去ミクサの概略図。
【符号の説明】
【００４３】
１        ＲＦ信号入力端子
２        帯域フィルタ
３        帯域消去フィルタ
４        ＲＦ増幅器
５        ミクサ
６        局部発振器
８        チューナ回路
１０      同調システム
３０      影像周波数信号消去ミクサ
３１      ＲＦ信号入力端子
３２ａ、３２ｂ    ミクサ
３４      局部発振器
３３，３５        移相器
３６      加算回路
１００，２００，３００    影像周波数信号消去ミクサ
１３２ａ，１３２ｂ        ミクサ
１５２ａ，１５２ｂ        出力負荷段
１８０ａ，１８０ｂ，１８２ａ，１８２ｂ，１８４ａ，１８４ｂ    出力調整回路
【図１】
2008533817.tif 000004
【図２】
2008533817.tif 000005
【図３】
2008533817.tif 000006
【図４】
2008533817.tif 000007
【図５】
2008533817.tif 000008
【図６】
2008533817.tif 000009
【図７】
2008533817.tif 000010
【国際調査報告】
2008533817.tif 000011